【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
ネットワークに接続されたコントロール・ユニットであって、リンク・アドレスを有するコントロール・ユニットと、
複数の論理サブシステム（ＬＳＳ）であって、各ＬＳＳが前記コントロール・ユニットに割当て可能であり、ｘビットのＬＳＳ番号によって第１のネットワーク内でアドレス可能であり、それぞれがｙビットの仮想ＬＳＳ（ＶＬＳＳ）番号を有し、ｙ＞ｘである、複数の論理サブシステム（ＬＳＳ）と、
前記ネットワークに接続されたホスト・デバイスによって送信されたデータを保管するために各ＬＳＳに割当て可能な１つまたは複数のデータ・ストレージ・デバイスと、
最大２x個のＶＬＳＳを前記コントロール・ユニットに割り当てるための手段と、
割り当てられた各ＶＬＳＳを対応するＬＳＳ番号によって識別する構成データ構造と
を有し、前記コントロール・ユニットが、
割り当てられたＬＳＳをＬＳＳ番号によって識別する論理パス確立（ＥＬＰ）コマンドを前記ホスト・デバイスから受信し、
前記割り当てられたＬＳＳ番号に対応する前記ＶＬＳＳ番号を前記構成データ構造から入手し、
前記ホスト・デバイスおよび前記コントロール・ユニット、のリンク・アドレスに前記ＶＬＳＳ番号を関連付ける論理パス・データ構造、内に前記対応するＶＬＳＳ番号を保管する
ように構成され、それにより、前記ホスト・デバイスによって前記コントロール・ユニットに送信されたコマンドが、そのＬＳＳ番号によって前記コマンド内で識別された第１のＬＳＳによって入出力操作を実行するために、前記ＬＳＳ番号に対応する前記ＶＬＳＳ番号を有する前記ＬＳＳによって実行される、データ・ストレージ・システム。
【請求項２】
前記第１のネットワークがＥＳＣＯＮネットワークを有し、かつｘ＝４である、請求項１に記載のシステム。
【請求項３】
各ＬＳＳがｙビットのＬＳＳ番号によって第２のネットワーク内でさらにアドレス可能である、請求項２に記載のシステム。
【請求項４】
前記第２のネットワークがＦＩＣＯＮネットワークを有し、かつｙ＝８である、請求項３に記載のシステム。
【請求項５】
前記第１のネットワークがＦＩＣＯＮネットワークを有し、かつｘ＝８である、請求項１に記載のシステム。
【請求項６】
データ・ストレージ・システム内で論理パスを管理するための方法であって、
最大２y個の論理サブシステム（ＬＳＳ）を設けるステップであって、各ＬＳＳがｙビットの仮想ＬＳＳ（ＶＬＳＳ）番号を有するステップと、
コントロール・ユニットに割り当てるものとして前記ＬＳＳのうちの最大２x個を選択するステップであって、選択された各ＬＳＳがｘビットのＬＳＳ番号によって第１のネットワーク内でアドレス可能であり、ｘ＜ｙであるステップと、
選択された各ＬＳＳごとに、ＬＳＳ番号を割り当てるステップと、
選択された各ＬＳＳの前記割り当てられたＬＳＳ番号を、前記対応する割り当てられたＶＬＳＳ番号とともに、構成データ構造に保管するステップと、
接続されたホスト・デバイスから、前記ホスト・デバイスと前記選択されたＬＳＳのうちの１つまたは複数との間に論理パスを確立するための要求を受信するステップと、
自身についての論理パスが確立される各ＬＳＳ、の前記ＶＬＳＳ番号を論理パス・データ構造に保管するステップと、
前記要求側ホスト・デバイスと前記コントロール・ユニットとのリンク・アドレスを前記論理パス・データ構造に保管するステップと
を有し、それにより、前記ホスト・デバイスによって前記コントロール・ユニットに送信されたコマンドが、そのＬＳＳ番号によって前記コマンド内で識別された第１のＬＳＳによって入出力操作を実行するために、前記ＬＳＳ番号に対応する前記ＶＬＳＳ番号を有する前記ＬＳＳによって実行される、方法。
【請求項７】
物理チャネル・パスによりホスト・チャネル・サブシステムに接続された第１のタイプの入出力インターフェース・アダプタであって、前記ホスト・チャネル・サブシステムが
リンク・アドレスおよび論理アドレスによってアドレス可能である、入出力インターフェース・アダプタと、
複数の論理サブシステム（ＬＳＳ）であって、それぞれがｙビットの仮想ＬＳＳ（ＶＬＳＳ）番号によって識別可能であり、それぞれがリンク・アドレスおよびｘビットの論理ＬＳＳ番号によってアドレス可能であり、ｘ＜ｙである、複数の論理サブシステム（ＬＳＳ）と、
少なくとも１つのストレージ・デバイスが接続される少なくとも１つのインターフェースであって、前記少なくとも１つのストレージ・デバイスのそれぞれが１つのＬＳＳに割当て可能である、少なくとも１つのインターフェースと、
最大２x個のＶＬＳＳを前記コントロール・ユニットに割り当てるための手段と、
割り当てられた各ＶＬＳＳを対応するＬＳＳ番号によって識別する構成データ構造と、
前記ホスト・チャネルから論理パス確立（ＥＬＰ）コマンドを受信するための手段であって、割り当てられたＬＳＳを前記ＥＬＰコマンドがＬＳＳ番号によって識別する手段と、
前記割り当てられたＬＳＳ番号に対応する前記ＶＬＳＳ番号を前記構成データ構造から入手するための手段と、
前記ホスト・チャネルと前記コントロール・ユニットとのリンク・アドレスに前記ＶＬＳＳ番号を関連付ける論理パス・データ構造と、
を有し、それにより、前記ホスト・チャネルによって前記コントロール・ユニットに送信されたコマンドが、そのＬＳＳ番号によって前記コマンド内で識別された第１のＬＳＳによって入出力操作を実行するために、前記ＬＳＳ番号に対応する前記ＶＬＳＳ番号を有する前記ＬＳＳによって実行される、データ・ストレージ・コントロール・ユニット。
【請求項８】
前記第１のタイプの前記入出力インターフェース・アダプタがＥＳＣＯＮインターフェース・アダプタを有し、かつｘ＝４である、
請求項７に記載のデータ・ストレージ・コントロール・ユニット。
【請求項９】
各ＬＳＳがｙビットのＬＳＳ番号によって第２のネットワーク内でさらにアドレス可能である、
請求項８に記載のデータ・ストレージ・コントロール・ユニット。
【請求項１０】
前記第１のタイプの前記入出力インターフェース・アダプタがＦＩＣＯＮインターフェース・アダプタを有し、かつｙ＝８である、
請求項９に記載のデータ・ストレージ・コントロール・ユニット。
【請求項１１】
前記第１のタイプの前記入出力インターフェース・アダプタがＦＩＣＯＮインターフェース・アダプタを有し、かつｘ＝８である、
請求項７請求項１１に記載のデータ・ストレージ・コントロール・ユニット。
【請求項１２】
データ・ストレージ・システムの論理サブシステムに保管されたデータにアクセスするための方法であって、
指定された論理サブシステム（ＬＳＳ）宛先を有する入出力要求を受信するステップであって、前記指定されたＬＳＳがｘビットのＬＳＳ番号によって識別されるステップと、
前記ＬＳＳ番号をｙ＞ｘであるｙビットの仮想ＬＳＳ（ＶＬＳＳ）番号に変換するステップと、
確立された論理パスにより前記ＶＬＳＳ番号に対応する前記指定されたＬＳＳにアクセスするステップと、
を有する方法。
【請求項１３】
データ・ストレージ・システム内の論理パス管理システムであって、
指定された論理サブシステム（ＬＳＳ）宛先を有する入出力要求を受信するための手段であって、前記指定されたＬＳＳがｘビットのＬＳＳ番号によって識別される手段と、
前記ＬＳＳ番号をｙ＞ｘであるｙビットの仮想ＬＳＳ（ＶＬＳＳ）番号に変換するための手段と、
確立された論理パスにより前記ＶＬＳＳ番号に対応する前記指定されたＬＳＳにアクセスするための手段と、
を有する、論理パス管理システム。
【請求項１４】
ストレージ・コントロール・ユニットに割り当てるものとして最大２y個のＬＳＳから最大２x個のＬＳＳを選択するための手段であって、前記最大２y個のＬＳＳのそれぞれがｙビットのＶＬＳＳ番号によって識別される手段と、
選択された各ＬＳＳにｘビットのＬＳＳ番号を割り当てるための手段と、
前記確立された論理パスの他のエレメントのアドレスとともに、割り当てられた各ＬＳＳの前記ＶＬＳＳ番号を論理パス・データ構造に保管するための手段と、
前記論理パス・データ構造から前記ＶＬＳＳ番号を入手することにより、前記ＬＳＳ番号を変換するための手段と、
をさらに有する、請求項１３に記載のシステム。
【請求項１５】
前記ｘビットのＬＳＳ番号を割り当てることに続いて、前記対応するｙビットのＶＬＳＳ番号とともに、選択された各ＬＳＳの前記ｘビットのＬＳＳ番号を構成データ構造に保管するための手段と、
接続されたホスト・チャネル・サブシステムから論理パス確立（ＥＬＰ）コマンドを受信するための手段であって、前記ＥＬＰがＬＳＳ番号を含む手段と、
前記ＶＬＳＳ番号に対応する前記ＶＬＳＳ番号を入手するために前記構成データ構造に照会するための手段と、
をさらに有する、請求項１４に記載のシステム。
【請求項１６】
前記論理サブシステムがＥＳＣＯＮネットワークに接続され、かつｘ＝４である、請求項１３に記載のシステム。
【請求項１７】
各ＬＳＳが前記ｙビットのＶＬＳＳ番号によって第２のネットワーク内でさらにアドレス可能である、請求項１６に記載のシステム。
【請求項１８】
前記第２のネットワークがＦＩＣＯＮネットワークを有し、かつｙ＝８である、請求項１７に記載のシステム。
【請求項１９】
前記論理サブシステムがＦＩＣＯＮネットワークに接続され、かつｘ＝８である、請求項１３に記載のシステム。
【請求項２０】
プログラム可能なコンピュータで使用可能なコンピュータ可読媒体のコンピュータ・プログラムであって、前記コンピュータ・プログラムが、データ・ストレージ・システム内で論理パスを管理するために組み込まれたコンピュータ可読コードを有し、前記コンピュータ可読コードが、
最大２y個の論理サブシステム（ＬＳＳ）のうちの最大２x個をコントロール・ユニットに割り当てるための命令であって、前記最大２y個のＬＳＳのそれぞれがｙビットの仮想ＬＳＳ（ＶＬＳＳ）番号を有し、選択された各ＬＳＳがｘビットのＬＳＳ番号によって第１のネットワーク内でアドレス可能であり、ｘ＜ｙである命令と、
選択された各ＬＳＳごとに、０〜ｘの間のＬＳＳ番号を割り当てるための命令と、
前記対応する割り当てられたＶＬＳＳ番号とともに、選択された各ＬＳＳの前記割り当てられたＬＳＳ番号を構成データ構造に保管するための命令と、
接続されたホスト・デバイスから、前記ホスト・デバイスと前記選択されたＬＳＳのうちの１つまたは複数との間に論理パスを確立するための要求を受信するための命令と、
自身についての論理パスが確立される各ＬＳＳ、の前記ＶＬＳＳ番号を論理パス・データ構造に保管するための命令と、
前記要求側ホスト・デバイスと前記コントロール・ユニットとのリンク・アドレスを前記論理パス・データ構造に保管するための命令と
を有し、それにより、前記ホスト・デバイスによって前記コントロール・ユニットに送信されたコマンドが、そのＬＳＳ番号によって前記コマンド内で識別された第１のＬＳＳによって入出力操作を実行するために、前記ＬＳＳ番号に対応する前記ＶＬＳＳ番号を有する前記ＬＳＳによって実行される、コンピュータ・プログラム。